(57)【特許請求の範囲】
【請求項１】
バーナと、該バーナに燃焼用空気を供給するファンと、該バーナの燃焼量を制御する燃焼量制御手段と、該燃焼量制御手段により制御される燃焼量に応じた基準回転数に対応する基準電流に係るデータを記憶保持するデータ記憶手段と、該データ記憶手段により記憶されているデータに係る該基準電流を該ファンに通電することで該ファンの回転数を制御する回転数制御手段とを備えた燃焼装置を調整するシステムであって、
前記回転数制御手段により前記基準電流が通電されている前記ファンの回転数を測定する回転数測定手段と、
該回転数測定手段により回転数が測定されているときの該ファンの周囲温度を測定する温度測定手段と、
該回転数測定手段と前記基準回転数との回転数差を演算するとともに、該温度測定手段による測定温度と所定温度との温度差を演算する演算手段と、
該ファンの周囲温度に応じた前記基準電流に係るデータを記憶保持する調整側データ記憶手段と、
該演算手段により演算される回転数差を解消すべく前記調整側データ記憶手段により記憶保持されている該ファンの周囲温度に応じた基準電流に係るデータを補正するとともに、該演算手段により演算される温度差と、該調整側データ記憶手段に記憶保持されている該補正後の該ファンの周囲温度に応じた基準電流に係るデータとに基づき、該温度差に応じた回転数変化を解消すべく基準電流に係る補正データを作成する補正データ作成手段と、
該補正データ作成手段により作成された補正データに基づき、該データ記憶手段により記憶保持されている基準電流に係るデータを補正するデータ補正手段とを備えていることを特徴とするシステム。
【請求項２】
前記燃焼装置の作動時間を測定するタイマを備え、
前記調整側データ記憶手段は、該燃焼装置の作動時間に応じた前記ファンの回転数変化に係るデータを記憶保持し、
前記補正データ作成手段は、前記補正データの作成に際して、該タイマにより測定される該燃焼装置の作動時間及び該調整側データ記憶手段により記憶保持されている該燃焼装置の作動時間に応じた該ファンの回転数変化に係るデータに基づき、該作動時間に応じた回転数変化を解消すべく前記調整側データ記憶手段により記憶保持されている該ファンの周囲温度に応じた基準電流に係るデータを補正することを特徴とする請求項１記載のシステム。
【請求項３】
データ通信手段を備え、
該データ通信手段が前記補正データを該燃焼装置に設けられたデータ通信手段に送信することで該燃焼装置に設けられた前記データ補正手段に、該補正データに基づいて前記データ記憶手段に記憶保持されている前記基準電流に係るデータを補正させることを特徴とする請求項１又は２記載のシステム。
【請求項４】
前記基準回転数には段階的に離れた３つ以上の基準回転数が含まれ、
前記データ補正手段は、該基準回転数のうち最低の基準回転数と最高の基準回転数について前記データ記憶手段に記憶保持されている基準電流に係るデータを補正した後、
最低の基準回転数と最高の基準回転数との中間の基準回転数について、該最低の基準回転数、該最高の基準回転数のそれぞれに対する差の比率に基づいて該データ記憶手段に記憶保持されている基準電流に係るデータを補正することを特徴とする請求項１乃至３のいずれか１つに記載のシステム。
【発明の詳細な説明】
【０００１】
【発明の属する技術分野】
本発明は、温風暖房機や給湯器等の燃焼装置を調整するシステムに関する。
【０００２】
【従来の技術】
温風暖房機等の燃焼装置において、バーナに燃焼用空気を供給するファンの回転数は、ＥＥＰＲＯＭ等のデータ記憶手段に記憶されたデータに係る基準電流がファンに通電されることで基準回転数になるよう制御されている。しかし、ファンはそれぞれの特性に応じて同値の電流が通電されてもファンごとに回転数に違いが出てしまう。この場合、基準電流がファンに通電されてもその回転数が基準回転数に至らず、燃焼用空気の不足によるバーナの燃焼不良をもたらすおそれがある。
【０００３】
そこで、特開平７−３５３４８号公報に開示されているように温風暖房機においてデータ記憶手段に記憶されている基準電流に係るデータを補正する方法が考えられている。この方法によれば、ファンに基準電流が通電された上でその回転数が基準回転数に一致するように通電される基準電流が補正され、この上で補正に係るデータがデータ記憶手段に記憶保持される。これにより、データ記憶手段により記憶保持された補正データに基づいて基準電流に係るデータが補正され、補正された基準電流が通電されることでファンが基準回転数に制御される。こうしてファンの特性のばらつきが補正されるので、上述のバーナの燃焼不良等の燃焼制御の不調といった弊害を防止できる。
【０００４】
しかし、本願発明者は、ファンの回転数が通電される電流のみならず、上記補正時のファンの周囲温度の変化によってもばらつくことを知見した。これは、ファンの周囲の流体密度がその周囲温度に応じて変化し、これによりファンの回転負荷が変動するためと考えられる。従って、基準電流の補正に際してファンの個々の特性を考慮しただけでは、当該補正された基準電流が通電された場合にもファンの回転数が基準回転数に至らず、やはりバーナの燃焼不良等が生じるおそれがあった。
【０００５】
【発明が解決しようとする課題】
そこで、本発明は、燃焼装置においてファンの周囲温度の変化による回転数のばらつきを解消すべく燃焼装置を調整可能なシステムを提供することを解決課題とする。
【０００６】
【課題を解決するための手段】
本発明は、バーナと、該バーナに燃焼用空気を供給するファンと、該バーナの燃焼量を制御する燃焼量制御手段と、該燃焼量制御手段により制御される燃焼量に応じた基準回転数に対応する基準電流に係るデータを記憶保持するデータ記憶手段と、該データ記憶手段により記憶されているデータに係る該基準電流を該ファンに通電することで該ファンの回転数を制御する回転数制御手段とを備えた燃焼装置を調整するシステムに関する。
【０００７】
前記課題を解決するための本発明の燃焼装置の調整システムは、前記回転数制御手段により前記基準電流が通電されている前記ファンの回転数を測定する回転数測定手段と、該回転数測定手段により回転数が測定されているときの該ファンの周囲温度を測定する温度測定手段と、該回転数測定手段と前記基準回転数との回転数差を演算するとともに、該温度測定手段による測定温度と所定温度との温度差を演算する演算手段と、該ファンの周囲温度に応じた前記基準電流に係るデータを記憶保持する調整側データ記憶手段と、該演算手段により演算される回転数差を解消すべく前記調整側データ記憶手段により記憶保持されている該ファンの周囲温度に応じた基準電流に係るデータを補正するとともに、該演算手段により演算される温度差と、該調整側データ記憶手段に記憶保持されている該補正後の該ファンの周囲温度に応じた基準電流に係るデータとに基づき、該温度差に応じた回転数変化を解消すべく基準電流に係る補正データを作成する補正データ作成手段と、該補正データ作成手段により作成された補正データに基づき、該データ記憶手段により記憶保持されている基準電流に係るデータを補正するデータ補正手段とを備えていることを特徴とする。
【０００８】
本発明のシステムによれば、調整側データ記憶手段に記憶されているファンの周囲温度に応じた基準電流に係るデータが、任意の周囲温度下で基準電流が通電されるファンの回転数が基準回転数に一致するよう補正される。また、当該補正後のファンの周囲温度に応じた基準電流に係るデータに基づき、当該任意の周囲温度下ではなく所定温度下でファンの回転数が基準回転数に一致するように基準電流に係る補正データが作成される。
【０００９】
そして、この補正データに基づいて、データ記憶手段に記憶保持されている基準電流に係るデータが補正される。
【００１０】
このようにデータ記憶手段に記憶保持されている基準電流に係るデータが補正されることにより、周囲温度が所定温度に等温の下、基準回転数に対応してデータ記憶手段に記憶保持されているデータに係る基準電流がファンに通電されたとき、ファンの回転数が当該基準回転数に正確に制御される。すなわち、ファンの特性のばらつき及びファンの周囲温度のばらつきによってファンの回転数が基準回転数からずれることを防止できる。また、ファンによりバーナに供給される燃焼用空気が不足してバーナが燃焼不良を起こす等の不都合を確実に解消することができる。
【００１１】
また、本発明のシステムは、前記燃焼装置の作動時間を測定するタイマを備え、前記調整側データ記憶手段は、該燃焼装置の作動時間に応じた前記ファンの回転数変化に係るデータを記憶保持し、前記補正データ作成手段は、前記補正データの作成に際して、該タイマにより測定される該燃焼装置の作動時間及び該調整側データ記憶手段により記憶保持されている該燃焼装置の作動時間に応じた該ファンの回転数変化に係るデータに基づき、該作動時間に応じた回転数変化を解消すべく前記調整側データ記憶手段により記憶保持されている該ファンの周囲温度に応じた基準電流に係るデータを補正することを特徴とする。
【００１２】
本発明のシステムによれば、基準電流に係る補正データの作成に際して、調整側データ記憶手段に記憶保持されているファンの周囲温度に応じた基準電流に係るデータが、燃焼装置の作動時間に応じて変化するファンの回転数が基準回転数に一致するよう補正される。また、このように作成された補正データに基づいてデータ記憶手段に記憶保持されている基準電流に係るデータが補正される。これにより、燃焼装置の作動時間によってファンの回転数が基準回転数からずれることを防止できる。
【００１３】
さらに本発明のシステムは、データ通信手段を備え、該データ通信手段が前記補正データを該燃焼装置に設けられたデータ通信手段に送信することで該燃焼装置に設けられた前記データ補正手段に、該補正データに基づいて前記データ記憶手段に記憶保持されている前記基準電流に係るデータを補正させることを特徴とする。
【００１４】
本発明によれば、データ通信手段を介してのデータ通信により燃焼装置のデータ記憶手段に記憶保持されている基準電流に係るデータを簡単に補正することができる。また、燃焼装置ごとに演算手段等を備える必要がないため、燃焼装置の構成を簡単にし、製造コストを節約できる。
【００１５】
前記基準回転数には段階的に離れた３つ以上の基準回転数が含まれ、前記データ補正手段は、該基準回転数のうち最低の基準回転数と最高の基準回転数について前記データ記憶手段に記憶保持されている基準電流に係るデータを補正した後、最低の基準回転数と最高の基準回転数との中間の基準回転数について、該最低の基準回転数、該最高の基準回転数のそれぞれに対する差の比率に基づいて該データ記憶手段に記憶保持されている基準電流に係るデータを補正することが好ましい。
【００１６】
本発明によれば、最低の基準回転数（以下「最低回転数」という。）及び最高の基準回転数（以下「最高回転数」という。）についてデータ補正手段によって上記補正がなされる。これにより、周囲温度が所定温度に等温の下、最低・最高回転数のそれぞれに対応してデータ記憶手段に記憶保持されているデータに係る基準電流がファンに通電されたとき、ファンの回転数を最低回転数及び最高回転数に正確に制御することができる。また、中間の基準回転数（以下「中間回転数」という。）と最低・最高回転数とのそれぞれの差の比率に基づいて、中間回転数に対応する基準電流に係るデータも補正される。従って、同様にファンの回転数を中間回転数においても正確に制御することができる。
【００１７】
【発明の実施の形態】
本発明の燃焼装置の調整システム実施形態について図面を用いて説明する。図１は本実施形態の調整システムの構成説明図であり、図２は本実施形態の調整システムの機能説明図であり、図３は本実施形態の調整システムに係る補正説明図であり、図４は本実施形態の調整システムにより調整される温風暖房機の構成説明図である。
【００１８】
本実施形態の調整システムは、図４に示す温風暖房機（燃焼装置）ｘを調整するものである。温風暖房機ｘは、ダクト２０内に設けられたバーナ２１と、ファン２２と、バーナ２１にガスを供給するガス供給路２３と、ＥＥＰＲＯＭ（データ記憶手段）２４と、コントローラ２５と、データ通信手段２６と、データ補正手段２７と、リモコン２８とを備えている。
【００１９】
ダクト２０は空気取入口２０ａと、温風吹出口２０ｂと、燃焼用空気路２０ｃとを備えている。空気取入口２０ａにはフィルタ２０ｄが設けられている。温風吹出口２０ｂにはルーバー駆動手段２０ｅにより駆動されて温風の吹出し方向を調節するルーバー２０ｆが設けられている。燃焼用空気路２０ｃの上流には燃焼用空気路２０ｃを流れる空気の温度（ファン２２の「周囲温度」）を測定するサーミスタ（温度測定手段）２９が設けられている。
【００２０】
バーナ２１はスパーカ２１ａにより点火され、その燃焼状態はサーモカップル２１ｂにより検出される。ファン２２はバーナ２１の下流側に位置する羽根車２２ａと、羽根車２２ａを駆動するファンモータ２２ｂとを備えている。ファン２２が作動することで、燃焼用空気路２０ｃを介してバーナ２１に燃焼用空気が供給され、また、空気取入口２０ａからダクト２０内に取り込まれた室内空気がバーナ２１に加熱されて温風として温風吹出口２０ｂから吹き出される。ガス供給路２３にはバーナ２１の側から上流方向に比例弁２３ａと、電磁弁２３ｂ、電磁弁２３ｃとが順に設けられている。
【００２１】
ＥＥＰＲＯＭ２４は、１速（最低回転数）から７速（最高回転数）に至るまでの各回転速度（回転数）に応じた基準電流に係るデータ等を記憶保持する。コントローラ２５はサーミスタ２９による測定温度及びリモコン２８による設定温度に基づいてバーナ２１の燃焼量を制御する燃焼量制御手段２５ａと、当該燃焼量に応じてＥＥＰＲＯＭ２４に記憶保持されているデータに係る基準電流をファンモータ２２ｂに通電し、これによりファン２２の回転数を制御する回転数制御手段２５ｂとを備えている。
【００２２】
データ通信手段２６は本来リモコン２８から設定温度に係るデータを受信するものであるが、本システムからの後述の「補正データ」の受信等のデータ通信を行う。データ補正手段２７はデータ通信手段２６が受信した補正データに基づいてＥＥＰＲＯＭ２４に記憶保持されている基準電流に係るデータを補正する。
【００２３】
図１に示す本実施形態の調整システムは、調整側データ通信手段１と、タイマ２と、調整側データ記憶手段３と、回転数測定手段４と、演算手段５と、補正データ作成手段６とを備えている。また、本システムは温風暖房機ｘのサーミスタ２９を「温度測定手段」として含んでいる。
【００２４】
調整側データ通信手段１は温風暖房機ｘのデータ通信手段２６からファンモータ２２ｂに通電されている基準電流に係るデータ等を受信する。タイマ２は温風暖房機ｘの作動時間を測定する。調整側データ記憶手段３はファン２２の周囲温度に応じたファン２２の回転数変化に係るデータや、１速（最低回転数）から７速（最高回転数）に至るまでのファン２２の回転速度（回転数）に係るデータ等を記憶保持する。回転数測定手段４は羽根車２２ａに光を当て、その反射光のＯＮ／ＯＦＦに基づいてファン２２の回転数を測定する。演算手段５はファン２２の基準回転数と実回転数との差等を演算する。補正データ作成手段６は温風暖房機ｘのデータ補正手段２７とともに本発明の「データ補正手段」を構成するものであり、演算手段５により演算される当該差を解消すべく基準電流に関する補正データを作成する。補正データ作成手段６により作成された補正データは調整側データ通信手段１により温風暖房機ｘのデータ通信手段２６に送信される。
【００２５】
上記構成の本システムの機能について図２及び図３を用いて説明する。まず、温風暖房機ｘの作動がＯＮにされると（図２ＳＴＥＰ１）、バーナ２１が燃焼を開始するとともにファン２２も作動を開始する。このときファンモータ２２ｂに通電される電流は、ファン２２の最低回転数（１速）に対応してＥＥＰＲＯＭ２４に記憶保持されているデータに係るものである。また、データ通信手段２６から調整側データ通信手段１へ「ＯＮデータ」が送信され（図２左矢印(1)）、これによりタイマ２が温風暖房機ｘの作動時間を測定開始する（図２ＳＴＥＰ２）。タイマ２の測定時間が第１所定時間に至ると（図２ＳＴＥＰ３でＹＥＳ）、調整側データ通信手段１からデータ通信手段２６に次述のデータ送信を促すべく「リクエストデータ」が送信される（図２右矢印(2)）。また、回転数測定手段４によりファン２２の回転数が測定される（図２ＳＴＥＰ４）。
【００２６】
リクエストデータに応じてデータ通信手段２６はサーミスタ２９による測定温度に係るデータを調整側データ通信手段１に送信する（図２左矢印(3)）。次に、演算手段５が最低回転数と測定回転数との回転数差、及び測定温度と調整側データ記憶手段３に記憶保持されているデータに係る所定温度との温度差を演算する（図２ＳＴＥＰ５）。
【００２７】
続いて、補正データ作成手段６が演算手段５の演算結果等に基づいて温風暖房機ｘのＥＥＰＲＯＭ２４に記憶保持されている基準電流に係るデータを補正するための補正データを作成する（図２ＳＴＥＰ６）。この補正データの作成の基本的な考え方について図３を用いて説明する。調整側データ記憶手段３は、特性にムラのない理想的なファン２２は周囲温度Ｔに応じて図３に点線で示す電流Ｉ−回転数Ｒ特性曲線に係るデータ（ファン２２の周囲温度Ｔに応じた基準電流に係るデータ）を記憶保持している。この曲線によれば、周囲温度Ｔが所定温度Ｔ０に等しい場合、最低回転数に応じた基準電流Ｉ０１がファンモータ２２ｂに通電されればファン２２の回転数Ｒは最低回転数（１速）Ｒ０１となる（図３点ｏ参照）。また、周囲温度Ｔが所定温度Ｔ０よりδＴだけ高温の場合、基準電流Ｉ０１がファンモータ２２ｂに通電されればファン２２の回転数Ｒは最低回転数Ｒ０１よりδＲ’だけ大きくなる（図３点ｐ’参照）。
【００２８】
ここで、演算手段５により演算される回転数差がδＲ（０＜δＲ＜δＲ’）、温度差がδＴ（＞０）、即ちファン２２の回転数Ｒが最低回転数Ｒ０１よりδＲだけ大きく、周囲温度Ｔが所定温度Ｔ０よりδＴだけ高温であったとする。このときまず、回転数差δＲ及び上記δＲ’に基づいて、調整側データ記憶手段３に記憶保持されている図３に点線で示す周囲温度Ｔに応じたＩ−Ｒ特性曲線に係るデータが実線で示すＩ−Ｒ特性曲線に係るデータに補正される（図３下矢印ａ参照）。これにより、回転数差δＲ及び補正後のＲ−Ｉ関係に基づいてファン２２の回転数Ｒが最低回転数Ｒ０１に一致するようファンモータ２２ｂに通電すべき電流ＩがδＩ１（＞０）だけ減少される（図３左下がり矢印ｂ参照）。図３の矢印ａ及びｂで表される補正はファン２２のそれぞれの特性のばらつきを解消するためのものである。
【００２９】
続いて、周囲温度ＴがＴ０＋δＴではなく所定温度Ｔ０に等温のときにファン２２の回転数を適切に制御すべく温度差δＴに基づいて、調整側データ記憶手段３に記憶保持されている前記補正後のＴ＝Ｔ０＋δＴのときのＩ−Ｒ特性曲線に係るデータがＴ＝Ｔ０のときのＩ−Ｒ特性曲線に係るデータに補正される（図３下矢印ｃ参照）。これにより、当該補正後のＩ−Ｒ特性曲線に基づいてファン２２の回転数Ｒが最低回転数Ｒ０１に一致するようにファンモータ２２ｂに通電すべき電流ＩがδＩ２（＞０）だけ増大される（図３右上がり矢印ｄ参照）。図３の矢印ｃ及びｄで表される補正は、当該補正時のファン２２の周囲温度のばらつきを解消するためのものである。なお、図３下矢印ｃの長さで表される補正量は、本願発明者の得た知見によれば、周囲温度Ｔと所定温度Ｔ０との温度差δＴに対して略線形的にされるのが最適である。
【００３０】
以上により、このファン２２について、周囲温度Ｔが所定温度Ｔ０のときに回転数Ｒを最低回転数Ｒ０１とするためにファンモータ２２ｂに通電すべき電流Ｉは当初の基準電流Ｉ０１が−δＩ１＋δＩ２だけ補正された値となる。かかる手順に基づいたアルゴリズムに従って補正データ作成手段６はこの補正量−δＩ１＋δＩ２に係る「補正データ」を作成する（図２ＳＴＥＰ６参照）。
【００３１】
ここで調整側データ通信手段１は温風暖房機ｘのデータ通信手段２６に補正データを通信し（図２右矢印(4)）、データ補正手段２７がこの補正データに基づいてＥＥＰＲＯＭ２４に記憶保持されている最低回転数に対応する基準電流Ｉ０１に係るデータを補正する（図２ＳＴＥＰ７）。
【００３２】
続いて、ファン２２の最高回転数（７速）Ｒ０７についても同様の補正が行われる。具体的には、まずタイマ２の計測時間が第１所定時間（図２ＳＴＥＰ３参照）より長い第２所定時間に至ったとき（ＳＴＥＰ８でＹＥＳ）、リクエストデータが送信される（図２右矢印(2)参照）。これを受けて燃焼量制御手段２５ａによりバーナ２１が最大燃焼量とされ、回転数制御手段２５ｂによりファンモータ２２ｂに最高回転数（７速）Ｒ０７に対応する基準電流Ｉ０７が通電される。この上で回転数測定（ＳＴＥＰ４）、回転数差等の演算（ＳＴＥＰ５）、補正データの作成（ＳＴＥＰ６）及びデータ補正（ＳＴＥＰ７）に従って補正処理が行われる。また、補正データの作成（ＳＴＥＰ６）に際し、第１所定時間と第２所定時間との差に基づき、調整側データ記憶手段３に記憶保持されている図３に点線で示す理想的なファン２２のＩ−Ｒ特性曲線として回転数Ｒが全体的に所定値だけ底上げされたものが使用される。従って、図３の矢印ａで表されるファン２２の特性のばらつきを解消する補正に際し、矢印ａの長さで表される当該補正量が若干大きくされる。これは、タイマ２により測定される温風暖房機ｘの作動時間が長くなった分だけ理想のファン２２といえども上記所定値程度、回転数が増大するからである。よって、この補正により温風暖房機ｘの作動時間の相違によるファン２２の回転数のばらつきを解消することができる。
【００３３】
こうしてファン２２の最低回転数（１速）及び最高回転数（７速）に対応する基準電流Ｉ０１、Ｉ０７に係るデータが補正された後、さらにデータ補正手段２７により中間回転数（２速〜６速）Ｒ０２〜Ｒ０６に対応し、ＥＥＰＲＯＭ２４に記憶保持されている基準電流Ｉ０２〜Ｉ０６に係るデータが補正される。具体的には、中間回転数と最低・最高回転数とのそれぞれの差の比率に基づいて、中間回転数に対応する基準電流に係るデータも補正される。例えば、１速〜７速に対応する基準回転数Ｒ０１〜Ｒ０７が等間隔ずつ離れて順に設定されているとして、２速に対応する基準電流Ｉ０２と、１速、７速に対応する基準電流Ｉ０１、Ｉ０７とのそれぞれの差の比率が１：５になるよう２速に対応する基準電流Ｉ０２に係るデータが補正される。
【００３４】
本調整システムによれば、調整側データ記憶手段３に記憶されているファン２２の周囲温度Ｔに応じた基準電流Ｉ０１及びＩ０７に係るデータが、ファン２２の回転数Ｒが最低回転数Ｒ０１及び最高回転数Ｒ０７にそれぞれ一致するよう補正される（図３矢印ａ、ｂ参照）。また、当該補正後のファン２２の周囲温度Ｔに応じた基準電流Ｉ０１及びＩ０７に係るデータに基づき、当該任意の周囲温度Ｔではなく所定温度Ｔ０でファン２２の回転数が最低回転数Ｒ０１及び最高回転数Ｒ０７にそれぞれ一致するように基準電流Ｉ０１及びＩ０７に係る補正データが作成される（図２ＳＴＥＰ６、図３矢印ａ、ｂ参照）。そして、この補正データに基づいて、温風暖房機ｘのＥＥＰＲＯＭ２４に記憶されている基準電流Ｉ０１及びＩ０７に係るデータが補正される（図２ＳＴＥＰ７参照）。
【００３５】
このようにＥＥＰＲＯＭ２４に記憶保持されている基準電流に係るデータが補正されることにより、周囲温度Ｔが所定温度Ｔ０に等温の下、最低回転数Ｒ０１及び最高回転数Ｒ０７に対応してＥＥＰＲＯＭ２４に記憶保持されているデータに係る基準電流Ｉ０１及びＩ０７がファン２２に通電されたとき、ファン２２の回転数が当該最低回転数Ｒ０１及び最高回転数Ｒ０７にそれぞれ正確に制御される。すなわち、ファン２２の特性のばらつき及びファン２２の周囲温度Ｔのばらつきによってファン２２の回転数が最低回転数Ｒ０１からずれることを防止できる。また、ファン２２によりバーナ２１に供給される燃焼用空気が不足してバーナ２１が燃焼不良を起こす等の不都合を確実に解消することができる。
【００３６】
また、ファン２２の最高回転数Ｒ０７について、データ記憶手段３に記憶保持されている基準電流Ｉ０７に係るデータが、温風暖房機ｘの作動時間に応じて変化するファン２２の回転数が最高回転数Ｒ０７に一致するよう補正される（図３点線のＩ−Ｒ特性曲線の全体的な底上げによる矢印ａの長さの増加。図２ＳＴＥＰ７後のＳＴＥＰ５参照）。そして、前記のように基準電流に係る補正データが作成され（図２ＳＴＥＰ６参照）、この補正データに基づいてＥＥＰＲＯＭ２４に記憶保持されている基準電流に係るデータが補正される（図２ＳＴＥＰ７）。これにより、温風暖房機ｘの作動時間によってファン２２の回転数Ｒが最高回転数Ｒ０７からずれることを防止できる。
【００３７】
このように最低回転数（１速）Ｒ０１及び最高回転数（７速）Ｒ０７においてＥＥＰＲＯＭ２４に記憶保持されている基準電流に係るデータに上記補正がなされる。これにより、周囲温度Ｔが所定温度Ｔ０に等温の下、それぞれの回転数に対応してＥＥＰＲＯＭ２４に記憶保持されているデータに係る基準電流Ｉ０１、Ｉ０７がファンモータ２２ｂに通電されたとき、ファン２２の回転数を最低回転数Ｒ０１及び最高回転数Ｒ０７に正確に制御することができる。また、中間回転数（２速〜６速）Ｒ０２〜Ｒ０６と最低・最高回転数Ｒ０１、Ｒ０７とのそれぞれの差の比率に基づいて、中間回転数に対応する基準電流Ｉ０２〜Ｉ０６に係るデータも補正される。従って、同様にファン２２の回転数を中間回転数（２速〜６速）Ｒ０２〜Ｒ０６に正確に制御することができる。従って、ファン２２によりバーナ２１に供給される燃焼用空気が不足してバーナ２１が燃焼不良を起こす等の不都合を確実に解消することができる。
【００３８】
さらに、調整側データ通信手段１及びデータ通信手段２６を介して調整システム及び温風暖房機ｘの間のデータ通信により温風暖房機ｘのＥＥＰＲＯＭ２４に記憶保持されている基準電流Ｉ０ｉに係るデータを簡単に補正できる（図２矢印(1)〜(4)参照）。このため、各温風暖房機ｘに演算手段を設ける場合と比較して温風暖房機ｘの構成を簡単にし、製造コストを節約できる。
【００３９】
また、ファン２２の周囲温度を測定する「温度測定手段」として温風暖房機ｘに既存のサーミスタ２９が利用され、データ通信手段として本来リモコン２８とのデータ通信のため温風暖房機に既存のものが利用されている。かかる既存の装置を用いることにより本調整システムを低廉に実現することができる。
【００４０】
なお、本実施形態の調整システムが温風暖房機ｘの本体に設けられ、調整側データ通信手段１及びデータ通信手段２６、及び両者間のデータ通信（図２矢印(1)〜(4)）が省略されてもよい。また、本実施形態の調整システムがリモコン２８に設けられ、リモコン２８の操作により温風暖房機ｘとの間で補正データの送受信等のデータ通信（図２矢印(1)〜(4)）が行われ、この温風暖房機ｘが調整されてもよい。
【００４１】
上記実施形態では１台の温風暖房機ｘが調整されたが、他の実施形態として複数台の温風暖房機ｘのそれぞれに識別子が付され、当該識別子により調整システムの側で個々の温風暖房機が識別された上で調整されてもよい。この場合、例えば製造工場からの出荷時に大量の温風暖房機ｘをそれぞれのファン２２の特性や周囲温度、さらには作動時間を加味した上で適切に調整することができる。また、上述のように調整システムの調整側データ通信手段１及び温風暖房機ｘのデータ通信手段２６の間のデータ通信を利用することで、かかる大量の温風暖房機ｘを迅速且つ簡単に調整することができる。
【００４２】
上記実施形態では回転数測定手段４が温風暖房機ｘから離反して設けられていたが、他の実施形態として各温風暖房機ｘにホールＩＣが設けられ、このホールＩＣにより各温風暖房機ｘのファン２２の回転数が測定され、この測定回転数データが測定温度データ（図２矢印(3)参照）とともに温風暖房機ｘのデータ通信手段２６から調整側データ通信手段１に送信されてもよい。
【図面の簡単な説明】
【図１】本実施形態の調整システムの構成説明図
【図２】本実施形態の調整システムの機能説明図
【図３】本実施形態の調整システムに係る補正説明図
【図４】本実施形態の調整システムにより調整される温風暖房機の構成説明図
【符号の説明】
１‥調整側データ通信手段、２‥タイマ、３‥調整側データ記憶手段、４‥回転数測定手段、５‥演算手段、６‥補正データ作成手段（データ補正手段）、２１‥バーナ、２２‥ファン、２４‥ＥＥＰＲＯＭ（燃焼装置側データ記憶手段）、２５ａ‥燃焼量制御手段、２５ｂ‥回転数制御手段、２６‥（燃焼装置側）データ通信手段、２７‥データ補正手段、ｘ‥温風暖房機（燃焼装置）
【図１】
0003655206.tif 000002
【図２】
0003655206.tif 000003
【図３】
0003655206.tif 000004
【図４】
0003655206.tif 000005